(57)【要約】【課題】  使い勝手がよい撮影装置を提供する。【解決手段】  対物レンズ１０＿４１と接眼レンズ１０＿４２との間に、光透過性基板に光透過性のＬＥＤが二次元的に搭載された透過表示板１０＿４３を配置し、電子ズーム手段により切り出された領域に相当する領域を表わす画像データに基づいて、透過表示板１０＿４３上のＬＥＤを表示制御部１２９で点灯することにより、光学式ファインダ１０＿４内に電子ズームの倍率を表わす枠を表示する。【選択図】  図６
2006237922.tif 000002
【特許請求の範囲】
【請求項１】
撮影光学系を経由して入射してきた被写体光を撮像素子上に結像して画像データを生成する撮影装置において、
被写体像と重なる位置に、光透過性の発光体が二次元的に搭載された透過表示板が配置された光学式ファインダと、
前記撮像素子上に結像された被写体像の中央の、操作に応じて指定された面積の領域内の画像を切り出した画像データを生成する電子ズーム手段と、
前記光透過性の発光体の点灯あるいは点滅により、前記電子ズーム手段により切り出された領域に相当する領域を区画する表示制御手段とを備えたことを特徴とする撮影装置。
【請求項２】
撮影光学系を経由して入射してきた被写体光を撮像素子上に結像して画像データを生成する撮影装置において、
被写体像と重なる位置に、光透過性の発光体が二次元的に搭載された透過表示板が配置された光学式ファインダと、
被写体上の、ピントを合わせる合焦領域を設定する領域設定手段と、
前記光透過性の発光体の点灯あるいは点滅により、前記領域設定手段で設定された合焦領域に相当する領域を区画する表示制御手段とを備えたことを特徴とする撮影装置。
【請求項３】
前記領域設定手段が、合焦領域をユーザ操作により設定するものであることを特徴とする請求項２記載の撮影装置。
【請求項４】
前記領域設定手段が、合焦領域を自動設定するものであることを特徴とする請求項２記載の撮影装置。
【請求項５】
撮影光学系を経由して入射してきた被写体光を撮像素子上に結像して画像データを生成する撮影装置において、
被写体像と重なる位置に、光透過性の発光体が二次元的に搭載された透過表示板が配置された光学式ファインダと、
被写体上の測光を行なう測光領域を設定する領域設定手段と、
前記光透過性の発光体の点灯あるいは点滅により、前記領域設定手段で設定された測光領域に相当する領域を区画する表示制御手段とを備えたことを特徴とする撮影装置。
【請求項６】
前記領域設定手段が、測光領域をユーザ操作により設定するものであることを特徴とする請求項５記載の撮影装置。
【請求項７】
前記領域設定手段が、測光領域を自動設定するものであることを特徴とする請求項５記載の撮影装置。
【請求項８】
前記表示制御手段は、前記光透過性の発光体を被写界輝度に応じた明るさで点灯あるいは点滅させるものであることを特徴とする請求項１、２又は５のいずれかに記載の撮影装置。
【発明の詳細な説明】
【技術分野】
【０００１】
本発明は、撮影光学系を経由して入射してきた被写体光を撮像素子上に結像して画像データを生成する撮影装置に関する。
【背景技術】
【０００２】
従来より、撮影光学系を経由して入射してきた被写体光を撮像素子上に結像して画像データを生成する撮影装置として、光学式ファインダを備えたカメラが知られている。このようなカメラにおいて、光学式ファインダの接眼部近傍に配備され、手ぶれアイコンやバッテリアイコン等をバックライトで点滅表示することにより警告を行なうための液晶表示器を備えたカメラが提案されている（特許文献１参照）。このカメラによれば、例えば撮影時に手ぶれエラーが発生した場合、撮影者が光学式ファインダの接眼部を覗いた状態において、手ぶれアイコンの点滅表示がその撮影者の視野に入るため、撮影者は手ぶれエラーを認識することができる。
【特許文献１】特開２００４−１７７４４８号公報
【発明の開示】
【発明が解決しようとする課題】
【０００３】
従来の、光学式ファインダを備えたカメラにおいて、光学ズーム機能と電子ズーム機能を有するカメラが知られている。このようなカメラでは、ズーム操作にあたり、先ず光学ズーム機能が動作し、引き続き電子ズーム機能が動作する構成になっている。この場合、光学式ファインダ内の被写体の画角は光学ズームに対応して拡大されるものの、電子ズームに切り替わった場合、電子ズームによる表示は、光学式ファインダで行なうことができないため、撮影者は光学式ファインダを覗いて写真撮影を行なうにあたり、被写体の画角がどこまで拡大されたのかを確認することは困難である。ここで、上述した特許文献１に提案された技術を適用して、光学式ファインダの接眼部近傍に、電子ズームに対応して拡大する枠をバックライトで点滅表示することにより、被写体の画角がどこまで拡大されたのかを推測することが考えられる。しかし、これでは電子ズームに対応して被写体の画角がどこまで拡大されたかを確実に認識することは困難である。
【０００４】
また、一般に、デジタルカメラには背面に液晶モニタ（ＬＣＤ）が備えられており、このＬＣＤ上に表示される被写体の画角を、電子ズームに対応して拡大することが行なわれている。しかし、例えば、夜中であって周囲が暗い場所では被写体輝度が低過ぎるため、ＬＣＤの画面全体が暗くなり、逆に日中であって日差しが強い場所では被写体輝度が高過ぎるため、ＬＣＤの画面全体が明るくなる。従って、ＬＣＤ上に表示される被写体の画角を確認することは困難である。このような場所では、光学式ファインダを使用して撮影を行なわないと、意図する目的の写真を撮影することができない場合が発生する。しかし、光学式ファインダでは、上述したような問題を抱えているため、使い勝手が悪いという問題がある。
【０００５】
本発明は、上記事情に鑑み、使い勝手がよい撮影装置を提供することを目的とする。
【課題を解決するための手段】
【０００６】
上記目的を達成する本発明の撮影装置のうちの第１の撮影装置は、撮影光学系を経由して入射してきた被写体光を撮像素子上に結像して画像データを生成する撮影装置において、
被写体像と重なる位置に、光透過性の発光体が二次元的に搭載された透過表示板が配置された光学式ファインダと、
上記撮像素子上に結像された被写体像の中央の、操作に応じて指定された面積の領域内の画像を切り出した画像データを生成する電子ズーム手段と、
上記光透過性の発光体の点灯あるいは点滅により、上記電子ズーム手段により切り出された領域に相当する領域を区画する表示制御手段とを備えたことを特徴とする。
【０００７】
本発明の第１の撮影装置は、光学式ファインダ内の、被写体像と重なる位置に配置された光透過性の発光体の点灯あるいは点滅により、電子ズーム手段により切り出された領域に相当する領域を区画するものである。このため、撮影者は、光学式ファインダ内において、電子ズームに対応して被写体の画角がどこまで拡大されたかを確認することができる。また、周囲が暗い場所や日差しが強い場所において光学ズームや電子ズームが行なわれた場合であっても、被写体の画角を確認することができる。従って、使い勝手がよい撮影装置が実現される。
【０００８】
また、上記目的を達成する本発明の撮影装置のうちの第２の撮影装置は、撮影光学系を経由して入射してきた被写体光を撮像素子上に結像して画像データを生成する撮影装置において、
被写体像と重なる位置に、光透過性の発光体が二次元的に搭載された透過表示板が配置された光学式ファインダと、
被写体上の、ピントを合わせる合焦領域を設定する領域設定手段と、
上記光透過性の発光体の点灯あるいは点滅により、上記領域設定手段で設定された合焦領域に相当する領域を区画する表示制御手段とを備えたことを特徴とする。
【０００９】
本発明の第２の撮影装置は、光学式ファインダ内の、被写体像と重なる位置に配置された光透過性の発光体の点灯あるいは点滅により、合焦領域に相当する領域を区画するものである。このため、撮影者は、光学式ファインダ内において、合焦領域を即座に確認することができる。従って、使い勝手がよい撮影装置が実現される。
【００１０】
ここで、本発明の第２の撮影装置において、上記領域設定手段が、合焦領域をユーザ操作により設定するものであることが好ましい。
【００１１】
このようにすると、ユーザは、所望の合焦領域を自在に設定し、その設定した合焦領域を確認することができる。
【００１２】
また、本発明の第２の撮影装置において、上記領域設定手段が、合焦領域を自動設定するものであることも好ましい態様である。
【００１３】
このようにすると、合焦領域を即座に確認することができるため、シャッタチャンスを逃すことが防止される。
【００１４】
さらに、上記目的を達成する本発明の撮影装置のうちの第３の撮影装置は、撮影光学系を経由して入射してきた被写体光を撮像素子上に結像して画像データを生成する撮影装置において、
被写体像と重なる位置に、光透過性の発光体が二次元的に搭載された透過表示板が配置された光学式ファインダと、
被写体上の測光を行なう測光領域を設定する領域設定手段と、
上記光透過性の発光体の点灯あるいは点滅により、上記領域設定手段で設定された測光領域に相当する領域を区画する表示制御手段とを備えたことを特徴とする。
【００１５】
本発明の第３の撮影装置は、光学式ファインダ内の、被写体像と重なる位置に配置された光透過性の発光体の点灯あるいは点滅により、測光領域に相当する領域を区画するものである。このため、撮影者は、光学式ファインダ内において、測光領域を即座に確認することができる。従って、使い勝手がよい撮影装置が実現される。
【００１６】
ここで、本発明の第３の撮影装置において、上記領域設定手段が、測光領域をユーザ操作により設定するものであることが好ましい。
【００１７】
このようにすると、ユーザは、所望の測光領域を自在に設定し、その設定した測光領域を確認することができる。
【００１８】
また、本発明の第３の撮影装置において、上記領域設定手段が、測光領域を自動設定するものであることも好ましい態様である。
【００１９】
このようにすると、測光領域を即座に確認することができる。
【００２０】
さらに、本発明の第１,第２,第３の撮影装置において、上記表示制御手段は、上記光透過性の発光体を被写界輝度に応じた明るさで点灯あるいは点滅させるものであることが好ましい。
【００２１】
このようにすると、撮影状況に応じて、光学式ファインダの透明表示板の明るさを切り替えることができるため、電子ズーム手段により切り出された領域，合焦領域，測光領域が見やすくなる。
【発明の効果】
【００２２】
本発明によれば、使い勝手がよい撮影装置を提供することができる。
【発明を実施するための最良の形態】
【００２３】
以下、本発明の実施の形態について説明する。
【００２４】
図１は、本発明の第１の撮影装置の一実施形態のデジタルカメラを前面斜め上から見た外観斜視図である。
【００２５】
図１に示すデジタルカメラ１０の前面中央部には、ズームレンズ１０＿１ａを内部に備えたズーム鏡胴１０＿１が備えられている。また、このデジタルカメラ１０の前面上部には、撮影に同期してフラッシュを発するフラッシュ発光部１０＿２と、フラッシュ発光部１０＿２からのフラッシュの光量を制御するためにそのフラッシュの光量を検出するフラッシュ調光センサ１０＿３と、後述する光学式ファインダを構成する光学式ファインダ対物窓１０＿４１ａとが備えられている。
【００２６】
また、このデジタルカメラ１０の前面左側には、このデジタルカメラ１０を確実に握ることができる形状を有するグリップ１０＿５と、セルフタイマ作動時等に点滅するセルフタイマランプ１０＿６が備えられている。
【００２７】
さらに、このデジタルカメラ１０の上面には、シャッタボタン１０＿８と、各種の設定を行なうためのモードダイヤル１０＿９と、電源ボタン１０＿１０とが備えられている。
【００２８】
図２は、図１に示すデジタルカメラを上から見た外観図である。
【００２９】
このデジタルカメラ１０には、前述したフラッシュ発光部１０＿２，シャッタボタン１０＿８，モードダイヤル１０＿９，電源ボタン１０＿１０に加えて、このデジタルカメラ１０の上方から下方に向けて設けられた斜面部に、フラッシュ発光部１０＿２をポップアップするためのポップアップボタン１０＿１２が備えられている。また、モードダイヤル１０＿９には、オートモードを示す文字ＡＵＴＯ、プログラムオートモードを示すＰ、シャッタスピード優先オートモードを示すＳ、絞り優先オートモードを示すＡ、マニュアルモードを示すＭ、動画モードを示す絵柄、および４つのシーンポジション（夜景、スポーツ、風景、人物のシーンポジション）を示す４つの絵柄が印刷されている。このモードダイヤル１０＿９を回転操作することにより、所望のモードに設定することができる。ここで、各モードについて簡単に説明する。
【００３０】
オートモード（ＡＵＴＯ）は、カメラ側で露出やホワイトバランス等全てを制御するためのモードである。プログラムオートモード（Ｐ）は、シャッタスピードと絞りを自動的に設定するためのモードである。シャッタスピード優先オートモード（Ｓ）は、シャッタスピードを優先的に設定するためのモードである。絞り優先オートモード（Ａ）は、絞りを優先的に設定するためのモードである。マニュアルモード（Ｍ）は、シャッタスピードと絞りを自由に設定するためのモードである。マニュアルモード（Ｍ）の隣りの絵柄で示される動画モードは、動画撮影用のモードである。
【００３１】
また、この動画モードから見て時計回りに４つの撮影シーン（夜景、スポーツ、風景、人物）を選択するための４つのシーンポジションモードがある。
【００３２】
夜景用のシーンポジションモードは、夕景や夜景などの雰囲気を活かした撮影に好適なモードである。スポーツ用のシーンポジションモードは、スポーツシーンをはじめ、動体撮影に好適なモードである。風景用のシーンポジションモードは、建物や山等、昼間の風景撮影に好適なモードである。人物用のシーンポジションモードは、肌色をより美しく写し出すことができるポートレート撮影に好適なモードである。
【００３３】
図３は、図１に示すデジタルカメラを背面から見た外観図である。
【００３４】
図３に示すデジタルカメラ１０の背面上部には、光学式ファインダを構成する光学式ファインダ接眼窓１０＿４２ｂと、露出補正ボタン１０＿２４と、押下することにより広角側（ワイド側）にズームアップする広角ズームボタン１０＿２５と、押下することにより望遠側（テレ側）にズームアップする望遠ズームボタン１０＿２６と、撮影モード側１０＿２７ａと再生モード側１０＿２７ｂとに切り換えるモードスイッチ１０＿２７とが備えられている。
【００３５】
また、モードスイッチ１０＿２７の下側には、フォトモードボタン１０＿３０と、十字ボタン１０＿３１と、メニュー／ＯＫボタン１０＿３２と、ＤＩＳＰ／ＢＡＣＫボタン１０＿３３とが備えられている。さらに、デジタルカメラ１０の背面中央部には、液晶モニタ１０＿３４が備えられている。
【００３６】
フォトモードボタン１０＿３０は、ピクセル数，感度，色味，プリント枚数等を設定するためのボタンである。
【００３７】
十字ボタン１０＿３１は、液晶モニタ１０＿３４上にメニュー画面などが表示された場合には、その十字キー１０＿３１の上ボタン１０＿３１ａ、下ボタン１０＿３１ｂ、左ボタン１０＿３１ｃ、右ボタン１０＿３１ｄの４つのボタンを操作することによってメニューの選択を行なうことができる。また、左ボタン１０＿３１ｃは、マクロ撮影を行なうか否かを切り換えるためのボタンでもあり、一度押下するとマクロ撮影モードとなり、再度押下するとマクロ撮影モードが解除される。さらに、右ボタン１０＿３１ｄは、フラッシュボタンの役割を担うボタンでもあり、押下する毎に、オートフラッシュ→赤目低減フラッシュ→強制フラッシュ→フラッシュ禁止→スローシンクロ→オートフラッシュというようにフラッシュの状態を繰り返し切り換えるためのボタンでもある。
【００３８】
メニュー／ＯＫボタン１０＿３２は、撮影時や再生時における各種のメニューを表示したり、選択されたメニューを決定するためのボタンである。
【００３９】
ＤＩＳＰ／ＢＡＣＫボタン１０＿３３は、ＤＩＳＰボタンおよびＢＡＣＫボタン双方の役割を担うボタンである。ＤＩＳＰボタンの役割の場合は、液晶モニタ１０＿３４に表示された画面の状態を切り換えるためのボタンとなり、例えば撮影時に液晶モニタ１０＿３４の表示をオン，オフしたり、再生時に文字表示をオン，オフしたりする。一方、ＢＡＣＫボタンの役割の場合は、ＭＥＮＵ／ＯＫボタン１０＿３２等による操作状態を１つ前に戻したり取り消したりするためのボタンとなる。
【００４０】
液晶モニタ１０＿３４は、このデジタルカメラ１０で被写体光を捉えて生成された画像データに基づく画像、およびメッセージ表示用の文字データに基づくメッセージを表示する。
【００４１】
図４は、図１に示すデジタルカメラを下から見た外観図である。
【００４２】
デジタルカメラ１０には電池カバー１０＿１３が備えられており、この図４には電池カバー１０＿１３が開放された状態のデジタルカメラ１０が示されている。
【００４３】
また、デジタルカメラ１０には、電池１００が挿入される電池挿入部１０＿１４が設けられている。さらに、このデジタルカメラ１０には、記録メディア１０＿５４が挿入される記録メディアスロット１０＿１５が設けられている。また、このデジタルカメラ１０には、三脚用ねじ穴１０＿１６も設けられている。
【００４４】
図５は、図１に示すデジタルカメラの内部構成を示す図である。
【００４５】
このデジタルカメラ１０には、撮影光学系を構成するズームレンズ１０＿１ａ，アイリス１０＿１ｂ，フォーカスレンズ１０＿１ｃと、それらズームレンズ１０＿１ａ，アイリス１０＿１ｂ，フォーカスレンズ１０＿１ｃを駆動することによりズーミング，フォーカシング，露光量調整を行なうためのモータドライバ１１１，１１２，１１３が備えられている。
【００４６】
また、デジタルカメラ１０には、ＣＣＤ１１４（本発明にいう撮像素子の一例に相当）と、タイミングジェネレータ１１５と、ＭＰＵ（Ｍｉｃｒｏ  Ｐｒｏｃｅｓｓｏｒ  Ｕｎｉｔ）１１６とが備えられている。
【００４７】
ＣＣＤ１１４は、ズームレンズ１０＿１ａ，アイリス１０＿１ｂ，フォーカスレンズ１０＿１ｃを経由してきた被写体光を捉える固体撮像素子である。このＣＣＤ１１１４には、入射された被写体光を電気信号である画像信号に変換するフォトダイオード等の光電変換素子が多数個備えられている。
【００４８】
タイミングジェネレータ１１５は、ＭＰＵ１１６からの指示により所定のタイミングでＣＣＤ１１４を駆動する。これにより、ＣＣＤ１１４に入射されている被写体光が所定のフレームレートで光電変換され、そのＣＣＤ１１４からアナログ画像信号として出力される。
【００４９】
ＭＰＵ１１６は、このデジタルカメラ１０全体の制御を行なう。具体的には、ＭＰＵ１１６にはＲＯＭ１１６ａが内蔵されており、その内蔵されたＲＯＭ１１６ａのプログラムの手順にしたがってデジタルカメラ１０全体の動作が制御される。
【００５０】
さらに、デジタルカメラ１０には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００５１】
また、デジタルカメラ１０には、ＳＤＲＡＭ１２５の画像データを読み出させ、ＹＣ信号への変換を行なう画像処理プロセスを実行する画像信号処理部１２０と、画像処理プロセスが終了した時点でＪＰＥＧプロセスを実行して画像データの圧縮を行なう圧縮処理部１２１と、画像データをビデオ信号に変換して前述した液晶モニタ１０＿３４に導くためのＶｉｄｅｏ／ＬＣＤエンコーダ１２２とが備えられている。
【００５２】
さらに、デジタルカメラ１０には、画像のピント情報を検出するＡＦ検出部１２３と、画像の輝度情報と白色バランス情報を検出するＡＥ＆ＡＷＢ検出部１２４と、作業領域用のメモリとしても使用されるＳＤＲＡＭ１２５と、Ａ領域，Ｂ領域を有する表示用のバッファとしてのＶＲＡＭ１２６と、画像データを前述した記録メディア１０＿５４に記憶するための制御を行なうメディアコントローラ１２７とが備えられている。
【００５３】
尚、この図５には、前述したモードダイヤル１０＿９，ポップアップボタン１０＿１２，露出補正ボタン１０＿２４，モードスイッチ１０＿２７，フォトモードボタン１０＿３０，十字ボタン１０＿３１，メニュー／ＯＫボタン１０＿３２，ＤＩＳＰ／ＢＡＣＫボタン１０＿３３からなる操作部１０＿１００が示されている。
【００５４】
また、デジタルカメラ１０には、電子ズーム手段１２８と、表示制御手段１２９と、光学式ファインダ１０＿４とが備えられている。これら電子ズーム手段１２８，表示制御手段１２９，光学式ファインダ１０＿４については後述することとし、先ず、このデジタルカメラ１０の概略動作について説明する。
【００５５】
このデジタルカメラ１０の動作は統括的にＭＰＵ１１６により制御される。このＭＰＵ１１６内にはＲＯＭ１１６ａが内蔵されており、その内蔵されたＲＯＭ１１６ａ内にプログラムが格納されている。このプログラムの手順にしたがってデジタルカメラ１０全体の動作がＭＰＵ１１６により制御される。また、ＳＤＲＡＭ１２５にはＲＯＭ１１１６ａに記述されているプログラムの手順にしたがってＭＰＵ１１６がこのデジタルカメラ１０全体を制御しているときに、処理中の画像データが一時的に格納されたりする。
【００５６】
また、表示用のバッファとしてのＶＲＡＭ１２６にはスルー画像を表わす画像データがＡ領域、Ｂ領域に順次記憶され、それらの領域にある画像データが交互にＶｉｄｅｏ／ＬＣＤエンコーダ１２２に供給され画像データに基づく画像が順次切り換えられてスルー画像として液晶モニタ１０＿３４上に表示される。
【００５７】
先ず、モードダイヤル１０＿９（図２参照）がオートモード（ＡＵＴＯ）に切り替えられて撮影が行なわれた場合の画像データの流れを、図５を参照して説明する。
【００５８】
モードダイヤル１０＿９がオートモード（ＡＵＴＯ）に切り替えられると、ＭＰＵ１１６は撮影光学系を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理部１２０で表示可能な画像データに変換してスルー画像を液晶モニタ１０＿３４の画面上に表示させる。そのスルー画像に基づいて任意にフレーミングが行なわれ、ＡＦ検出部１２３が絶えずフォーカスレンズ１０＿１ｃを前後させ合焦点検出を行なってフレーミングの中央に焦点のあった画像をＣＣＤ１１４に結像させる。このときにはＡＥ＆ＡＷＢ検出部１２４によって被写界輝度が検出され、その検出結果に基づいてモータドライバ１１２により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。撮影者はこのスルー画像を見ながらフレーミングを行ない、シャッタチャンスにレリーズ操作を行なう。
【００５９】
レリーズ操作が行なわれると、ＭＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＭＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＭＰＵ１１６が画像信号処理部１２０の画像処理プロセスを起動させ、その画像処理プロセスによってＳＤＲＡＭ１２５の画像データを読み出させ、ＹＣ信号への変換を行なわせる。さらに、この画像信号処理部１２０の画像処理プロセスが終了したことをＭＰＵ１１６が検知すると、ＭＰＵ１１６は圧縮処理部１２１のＪＰＥＧプロセスを起動させ、ＪＰＥＧプロセスによって画像データの圧縮を行なわせる。この圧縮処理部１２１での圧縮が完了したことをＭＰＵ１１６が検知すると、ＭＰＵ１１６は次に記録処理プロセスを起動させ、ＪＰＥＧ圧縮された画像データを、メディアコントローラ１２７を介して記録メディア１０＿５４に記録させる。以上がオートモードのときの撮影データの流れである。
【００６０】
以降、モードダイヤル１０＿９がマニュアルモードに切り替えられたときの画像データの処理について説明する。
【００６１】
モードダイヤル１０９がマニュアルモード（Ｍ）に切り替えられると、撮影条件が手動により設定されて撮影が行なわれる。このデジタルカメラ１０においては撮影条件の一つであるフォーカスポイントも自在に設定することができるが、ここでは撮影条件の１つとして露出条件を挙げて以降説明する。
【００６２】
モードダイヤル１０＿９がマニュアルモード（Ｍ）に切り替えられると、スルー画像とともに露出補正値、シャープネス、フラッシュ光量などの補正を行なうための表示画面が液晶モニタ１０＿３４に表示される。この表示画面の中の選択項目、例えば露出値の切り替えを十字キー１０＿３１により行なうことができる。
【００６３】
このようにマニュアルモードのときには、撮影者が任意に撮影条件の設定を行なえるようになっており、これらの撮影条件下で撮影が行なわれる。
【００６４】
このようなマニュアルモードで撮影が行なわれるときには、その設定された撮影条件によって露光アンダーであろうが、露光オーバーであろうがそのまま撮影が行なわれる。例えば、この露光アンダー、露光オーバーは、ＡＥ＆ＡＷＢ検出部１２４の検出結果に基づきＭＰＵ１１６が判定する。
【００６５】
次に、電子ズーム手段１２８，表示制御手段１２９，光学式ファインダ１０＿４の動作について図５、図６、図７を参照して説明する。
【００６６】
図６は、表示制御手段および光学式ファインダの機能を説明するための図、図７は、図６に示す透過表示板の構造を模式的に示す図である。
【００６７】
先ず、図６を参照して、光学式ファインダ１０＿４について説明する。光学式ファインダ１０＿４には、ズームレンズ１０＿１ａにより変化する視野に応じて変化するズームファインダを実現するための対物レンズ１０＿４１が備えられている。また、この光学式ファインダ１０＿４には、被写体像と重なる位置に配置された透過表示板１０＿４３および接眼レンズ１０＿４２が備えられている。
【００６８】
透過表示板１０＿４３には、図７に示すように、光透過性基板１０＿４３０が備えられている。また、この光透過性基板１０＿４３０上には、赤色で発光する光透過性のＬＥＤ１０＿４３Ｒが二次元的に搭載された赤色ＬＥＤ層１０＿４３１と、緑色で発光する光透過性のＬＥＤ１０＿４３Ｇが二次元的に搭載された緑色ＬＥＤ層１０＿４３２と、青色で発光する光透過性のＬＥＤ１０＿４３Ｂが二次元的に搭載された青色ＬＥＤ層１０＿４３３とが積層されている。これら光透過性のＬＥＤ１０＿４３Ｒ，１０＿４３Ｇ，１０＿４３Ｂが、本発明にいう光透過性の発光体の一例に相当する。
【００６９】
また、図５に示す電子ズーム手段１２８は、ＣＣＤ１１４上に結像された被写体像の中央の、図３に示す広角ズームボタン１０＿２５や望遠ズームボタン１０＿２６の操作に応じて指定された面積の領域内の画像を切り出した画像データを生成する。さらに、表示制御手段１２９は、図６に示すように、電子ズーム手段１２３からの画像データを、データバスを介して入力し、その画像データに基づいて、透過表示板１０＿４３上のＬＥＤ１０＿４３Ｒ，１０＿４３Ｇ，１０＿４３Ｂを点灯（あるいは点滅）制御することにより、電子ズーム手段１２８により切り出された領域に相当する領域を区画する。具体的には、このデジタルカメラ１０は、以下に説明するようにして、光学式ファインダ１０＿４を介して視認されている矢印Ａで示す被写体像（図６参照）の、電子ズーム手段１２８により切り出された領域に相当する領域を、表示制御手段１２９の透過表示板１０＿４３上のＬＥＤ１０＿４３Ｒ，１０＿４３Ｇ，１０＿４３Ｂの点灯（あるいは点滅）により区画する。
【００７０】
図８は、図５に示す光学式ファインダ内の、電子ズームにおける表示を示す図である。
【００７１】
図８には、光学式ファインダ１０＿４を介して視認されている被写体像Ａが示されている。また、図８には、光学式ファインダ１０＿４内の、被写体像Ａと重なる位置に、電子ズーム手段１２８により切り出されたＣＣＤ１１４上の３つの領域に相当する３つの領域を区画する枠Ａ１，Ａ２，Ａ３が示されている。尚、枠Ａ０は光学ズームによるものである。
【００７２】
電子ズームによる表示は、光学式ファインダ１０＿４で行なうことができないので、電子ズームの倍率を表わす枠Ａ１，Ａ２，Ａ３を、透過表示板１０＿４３上のＬＥＤ１０＿４３Ｒ，１０＿４３Ｇ，１０＿４３Ｂで点灯（あるいは点滅）表示することにより、現在の電子ズーム領域を確認することができる。
【００７３】
図９は、光学式ファインダ内に表示される、電子ズームの倍率を表わす枠表示ルーチンのフローチャートである。
【００７４】
先ず、ステップＳ１において、撮影モードか否かが判定される。撮影モードでないと判定された場合は、このルーチンを終了する。一方、撮影モードであると判定された場合はステップＳ２に進む。
【００７５】
ステップＳ２では、ズーム制御が有るか否かが判定される。ズーム制御が無いと判定された場合は、このステップＳ２を繰り返し実行する。一方、ズーム制御が有ると判定された場合はステップＳ３に進む。ステップＳ３では、光学ズーム制御を行なう。
【００７６】
さらに、ステップＳ４において、光学ズームがフルか否かが判定される。光学ズームがフルでないと判定された場合はステップＳ３に戻る。一方、光学ズームがフルであると判定された場合はステップＳ５に進む。ステップＳ５では、電子ズーム制御を行なってステップＳ６に進む。
【００７７】
ステップＳ６では、電子ズームの倍率に応じて光学式ファインダに透明ＬＥＤ（ＬＥＤ１０＿４３Ｒ，１０＿４３Ｇ，１０＿４３Ｂ）による枠表示を行なって、このルーチンを終了する。
【００７８】
ここで、上記ＬＥＤ１０＿４３Ｒ，１０＿４３Ｇ，１０＿４３Ｂの製造方法について説明する。本実施形態のＬＥＤ１０＿４３Ｒ，１０＿４３Ｇ，１０＿４３Ｂは、透明酸化物ダイオードであり、この透明酸化物ダイオードの製造方法において、ｎ型ＣｕＩｎＯ2を形成する透明基板は、室温において可視光が良く透過するものであることが好ましい。波長３８０ｎｍ〜８００ｎｍの可視光領域における光透過率は好ましくは５０〜１００％であり、より好ましくは８０〜１００％である。
【００７９】
例えば、ポリカーボネート、ポリメタクリル酸メチルなどのプラスチック基板、石英ガラス、パイレックス（コーニング  インコーポレーテッド登録商標）ガラスなどのガラス基板、などの結晶基板などが挙げられる。ガラス基板は、光透過率を高めるために、両面を光学研磨してあることが好ましい。
【００８０】
ｎ型およびｐ型ＣｕＩｎＯ2層を積層する方法として、例えば、ＰＬＤ法、スパッタリング法、ＣＶＤ法、ＭＢＥ法、真空蒸着法などを選ぶことができる。
【００８１】
ｐ型ＣｕＩｎＯ2の成長方法において、ｐ型ＣｕＩｎＯ2層を形成する際には、雰囲気ガスとして１×１０-4Ｐａ〜１００Ｐａの酸素ガスを容器内に導入することが好ましい。基板温度は、より好ましくは３００℃〜７００℃の範囲である。
【００８２】
焼結体ターゲットとしては、２価の金属イオンをＩｎサイトに０〜２０ａｔｏｍｉｃ％置換したものを用いる。ホール濃度はＭｇ2+，Ｃａ2+，Ｓｒ2+，Ｂａ2+，Ｚｎ2+などの２価の金属イオンの置換率で制御できる。中でも、Ｃａ2+を用いた場合にホール濃度の制御性が良好である。
【００８３】
ｎ型ＣｕＩｎＯ2の成長方法において、ｎ型ＣｕＩｎＯ2層を形成する際には、雰囲気ガスとして１×１０-4Ｐａ〜１００Ｐａの酸素ガスを容器内に導入することが好ましい。基板温度は２００℃〜１０００℃の範囲で選択することが好ましい。
【００８４】
焼結体ターゲットとしては、４価の金属イオンをＩｎサイトに０〜２０ａｔｏｍｉｃ％置換したものを用いる。キャリア電子濃度はＴｉ4+，Ｚｒ4+，Ｈｆ4+，Ｓｉ4+，Ｇｅ4+，Ｓｎ4+などの４価の金属イオンの置換率で制御できる。中でも、Ｓｎ4+を用いた場合に電子濃度の制御性が良好である。
【００８５】
また、本実施形態のデジタルカメラ１０に備えられた表示制御手段１２９（図４参照）は、透過表示板１０＿４３上の光透過性のＬＥＤ１０＿４３Ｒ，１０＿４３Ｇ，１０＿４３Ｂを被写界輝度に応じた明るさで点灯（あるいは点滅）させるものである。
【００８６】
図１０は、図４に示す表示制御手段で実行される、光透過性のＬＥＤを被写界輝度に応じた明るさで点灯させる制御ルーチンのフローチャートである。
【００８７】
ステップＳ１１において、デジタルカメラ１０の電源をオンしてステップＳ１２に進む。ステップＳ１２では、撮影モードか否かが判定される。撮影モードでないと判定された場合は、このルーチンを終了する。一方、撮影モードであると判定された場合はステップＳ１３に進む。ステップＳ１３では、ＣＣＤ１１４における測光を行なう。
【００８８】
次に、「夜」，「室内」，「屋外」の３つの状態を判定するために、先ずステップＳ１４において、夜の明るさか否かが判定される。夜の明るさであると判定された場合は、ステップＳ１５に進む。ステップＳ１５では、透明ＬＥＤを暗く表示してこのルーチンを終了する。このように、夜の明るさの場合は、透明ＬＥＤを暗く表示することにより、被写体を見えやすくする。
【００８９】
一方、ステップＳ１４において、夜の明るさでないと判定された場合は、ステップＳ１６に進む。ステップＳ１６では、室内の明るさか否かが判定される。室内の明るさであると判定された場合は、ステップＳ１７に進む。ステップＳ１７では、透明ＬＥＤを通常の明るさで表示してこのルーチンを終了する。一方、室内の明るさでないと判定された場合は、屋外の明るさであるため、ステップＳ１８に進む。ステップＳ１８では、透明ＬＥＤを明るく表示してこのルーチンを終了する。このように、屋外の明るさの場合は、透明ＬＥＤを明るく表示することにより、被写体を見えやすくする。
【００９０】
本実施形態のデジタルカメラ１０は、光学式ファインダ１−＿４内の、被写体像と重なる位置に配置された透過表示板１０＿４３上の光透過性のＬＥＤ１０＿４３Ｒ，１０＿４３Ｇ，１０＿４３Ｂの点灯（あるいは点滅）により、電子ズーム手段１２８により切り出された領域に相当する領域を区画するものである。このため、撮影者は、光学式ファインダ１０＿４内において、電子ズームに対応して被写体の画角がどこまで拡大されたかを確認することができる。また、周囲が暗い場所や日差しが強い場所において光学ズームや電子ズームが行なわれた場合であっても、被写体の画角を確認することができる。従って、使い勝手がよいデジタルカメラ１０が実現される。
【００９１】
図１１は、本発明の第２の撮影装置の一実施形態のデジタルカメラの内部構成を示す図である。
【００９２】
尚、本発明の第２の撮影装置の一実施形態のデジタルカメラの外観図は、前述した、図１，図２，図３，図４に示すデジタルカメラ１０の外観図と同じであるため、図示省略する。
【００９３】
また、図１１に示すデジタルカメラ２０の内部構成は、図５に示すデジタルカメラ１０の内部構成と比較し、電子ズーム手段１２８，表示制御手段１２９に代えて領域設定手段２２８，表示制御手段２２９が備えられている。
【００９４】
本実施形態のデジタルカメラ２０は、前述したデジタルカメラ１０と同様にして、被写体像と重なる位置に、前述した光透過性基板１０＿４３０に光透過性のＬＥＤ１０＿４３Ｒ，１０＿４３Ｇ，１０＿４３Ｂが二次元的に搭載された透過表示板１０＿４３が配置された光学式ファインダ１０＿４を備えている。さらに、このデジタルカメラ２０は、この光学式ファインダ１０＿４に、透過表示板１０＿４３上のＬＥＤ１０＿４３Ｒ，１０＿４３Ｇ，１０＿４３Ｂの点灯（あるいは点滅）により、その透過表示板１０＿４３上に、以下に説明するようにして、ピントを合わせる合焦領域に相当する領域を区画するものである。
【００９５】
図１１に示す領域設定手段２２８は、被写体上の、ピントを合わせる合焦領域を設定する。詳細には、この領域設定手段２２８は、モードダイヤル１０＿９（図２参照）がマニュアルモードに切り替えられると、合焦領域をユーザ操作により設定する。また、この領域設定手段２２８は、モードダイヤル１０＿９がオートモードに切り替えられると、合焦領域を自動設定する。
【００９６】
表示制御手段２２９は、透過表示板１０＿４３上のＬＥＤ１０＿４３Ｒ，１０＿４３Ｇ，１０＿４３Ｂの点灯（あるいは点滅）により、領域設定手段２２８で設定された合焦領域に相当する領域を区画する。
【００９７】
図１２は、図１１に示す光学式ファインダ内の、合焦領域を示す図である。
【００９８】
図１２に示すように、領域設定手段２２８で光学式ファインダ１０＿４内を、透過表示板１０＿４３上の光透過性ＬＥＤ１０＿４３Ｒ，１０＿４３Ｇ，１０＿４３Ｂで複数（ここでは１６）に分割表示する。ここで、ユーザが合焦領域１０＿４ａ（フォーカスエリア）を指定すると、その合焦領域１０＿４ａにピントを合わせるように制御される。さらに、指定された合焦領域１０＿４ａを区画する枠Ａ１を、透過表示板１０＿４３上の光透過性ＬＥＤ１０＿４３Ｒ，１０＿４３Ｇ，１０＿４３Ｂで、上記分割表示された色とは異なる色で点灯（あるいは点滅）表示する。このようにすることにより、ユーザは、設定した合焦領域１０＿４３ａを確認することができる。また、被写体の明るさに応じて、光透過性ＬＥＤ１０＿４３Ｒ，１０＿４３Ｇ，１０＿４３Ｂの明るさが切り替えられる。具体的には、夜の場合は光透過性ＬＥＤ１０＿４３Ｒ，１０＿４３Ｇ，１０＿４３Ｂを暗く表示し、日中であって明かるい場合は光透過性ＬＥＤ１０＿４３Ｒ，１０＿４３Ｇ，１０＿４３Ｂを明るく表示する。尚、被写体の明るさはＣＣＤ測光により行なわれる。
【００９９】
図１３は、図１１に示す光学式ファインダ内に表示される、合焦領域の枠表示ルーチンのフローチャートである。
【０１００】
先ず、ステップＳ２１において、撮影モードか否かが判定される。撮影モードでないと判定された場合は、このルーチンを終了する。一方、撮影モードであると判定された場合はステップＳ２２に進む。
【０１０１】
ステップＳ２２では、マニュアルフォーカスモード（マニュアルモードにおけるフォーカスポイントを設定するためのモード）に設定する。尚、光学式ファインダ内に透明ＬＥＤによる枠表示するためのモードとしては、このマニュアルフォーカスモード以外に、マルチフォーカスモード、部分測光モード、マルチ測光モードがある。
【０１０２】
次に、ステップＳ２３において、光学式ファインダ内に、透明ＬＥＤ（ＬＥＤ１０＿４３Ｒ，１０＿４３Ｇ，１０＿４３Ｂ）で複数に分割表示する。
【０１０３】
さらに、ステップＳ２４において、十字ボタン等を使用し、フォーカスポイントを指示する。
【０１０４】
次いで、ステップＳ２５で、指示された部分の枠の透明ＬＥＤの色を変えて、このルーチンを終了する。
【０１０５】
本実施形態のデジタルカメラ２０は、光学式ファインダ１０＿４内の、被写体像と重なる位置に配置された透過表示板１０＿４３上のＬＥＤ１０＿４３Ｒ，１０＿４３Ｇ，１０＿４３Ｂの点灯（あるいは点滅）により、合焦領域に相当する領域を区画するものである。このため、撮影者は、光学式ファインダ１０＿４内において、合焦領域を即座に確認することができる。従って、使い勝手がよい撮影装置が実現される。
【０１０６】
図１４は、本発明の第３の撮影装置の一実施形態のデジタルカメラの内部構成を示す図である。
【０１０７】
尚、本発明の第３の撮影装置の一実施形態のデジタルカメラの外観図は、前述した、図１，図２，図３，図４に示すデジタルカメラ１０の外観図と同じであるため、図示省略する。
【０１０８】
また、図１４に示すデジタルカメラ３０の内部構成は、図５に示すデジタルカメラ１０の内部構成と比較し、電子ズーム手段１２８，表示制御手段１２９に代えて領域設定手段３２８，表示制御手段３２９が備えられている。
【０１０９】
本実施形態のデジタルカメラ３０は、前述したデジタルカメラ１０と同様にして、被写体像と重なる位置に、前述した光透過性基板１０＿４３０に光透過性のＬＥＤ１０＿４３Ｒ，１０＿４３Ｇ，１０＿４３Ｂが二次元的に搭載された透過表示板１０＿４３が配置された光学式ファインダ１０＿４を備えている。さらに、このデジタルカメラ２０は、この光学式ファインダ１０＿４に、透過表示板１０＿４３上のＬＥＤ１０＿４３Ｒ，１０＿４３Ｇ，１０＿４３Ｂの点灯（あるいは点滅）により、その透過表示板１０＿４３上に、以下に説明するようにして、測光領域に相当する領域を区画するものである。
【０１１０】
図１４に示す領域設定手段３２８は、被写体上の測光を行なう測光領域を設定する。詳細には、この領域設定手段３２８は、モードダイヤル１０＿９（図２参照）がマニュアルモードに切り替えられると、測光領域をユーザ操作により設定する。また、この領域設定手段３２８は、モードダイヤル１０＿９がオートモードに切り替えられると、測光領域を自動設定する。
【０１１１】
表示制御手段３２９は、透過表示板１０＿４３上のＬＥＤ１０＿４３Ｒ，１０＿４３Ｇ，１０＿４３Ｂの点灯（あるいは点滅）により、領域設定手段３２８で設定された測光領域に相当する領域を区画する。
【０１１２】
図１５は、図１４に示す光学式ファインダ内の、測光領域を示す図である。
【０１１３】
図１５には、光学式ファインダ１０＿４を介して視認されている被写体像Ａが示されている。また、図１５には、この被写体像Ａと重なる位置に、領域設定手段３２８で設定された測光領域に相当する領域を区画する枠Ｂ１が示されている。このように、ターゲットマークである枠Ｂ１を、透過表示板１０＿４３上のＬＥＤ１０＿４３Ｒ，１０＿４３Ｇ，１０＿４３Ｂで点灯（あるいは点滅）表示することにより、測光領域を即座に確認することができる。
【０１１４】
本実施形態のデジタルカメラ３０は、光学式ファインダ１０＿４内の、被写体像と重なる位置に配置された透過表示板１０＿４３上のＬＥＤ１０＿４３Ｒ，１０＿４３Ｇ，１０＿４３Ｂの点灯（あるいは点滅）により、測光領域に相当する領域を区画するものである。このため、撮影者は、光学式ファインダ１０＿４内において、測光領域を即座に確認することができる。従って、使い勝手がよい撮影装置が実現される。
【０１１５】
図１６は、図１５に示す測光領域に相当する領域を区画する枠に代えて、オートフォーカス領域に相当する領域を区画する枠を、光学式ファインダ内に表示するための表示処理ルーチンのフローチャートである。
【０１１６】
先ず、ステップＳ３１において、撮影モードか否かが判定される。撮影モードでないと判定された場合は、このルーチンを終了する。一方、撮影モードであると判定された場合はステップＳ３２に進む。
【０１１７】
ステップＳ３２では、オートフォーカスモード（オートモードにおけるフォーカスポイントを設定するためのモード）に設定する。
【０１１８】
次に、ステップＳ３３において、シャッタボタンを半押しする。
【０１１９】
さらに、ステップＳ３４において、フォーカスポイントを光学式ファインダに、透明ＬＥＤ（ＬＥＤ１０＿４３Ｒ，１０＿４３Ｇ，１０＿４３Ｂ）で表示する。
【０１２０】
次いで、ステップＳ３５において、シャッタボタンを全押しして、このルーチンを終了する。
【０１２１】
尚、上述した本実施形態では、デジタルカメラの例で説明したが、これに限られるものではなく、本発明は、携帯電話に搭載されるカメラやビデオカメラ等であってもよい。
【図面の簡単な説明】
【０１２２】
【図１】本発明の第１の撮影装置の一実施形態のデジタルカメラを前面斜め上から見た外観斜視図である。
【図２】図１に示すデジタルカメラを上から見た外観図である。
【図３】図１に示すデジタルカメラを背面から見た外観図である。
【図４】図１に示すデジタルカメラを下から見た外観図である。
【図５】図１に示すデジタルカメラの内部構成を示す図である。
【図６】表示制御手段および光学式ファインダの機能を説明するための図である。
【図７】図６に示す透過表示板の構造を模式的に示す図である。
【図８】図５に示す光学式ファインダ内の、電子ズームにおける表示を示す図である。
【図９】光学式ファインダ内に表示される、電子ズームの倍率を表わす枠表示ルーチンのフローチャートである。
【図１０】図４に示す表示制御手段で実行される、光透過性のＬＥＤを被写界輝度に応じた明るさで点灯させる制御ルーチンのフローチャートである。
【図１１】本発明の第２の撮影装置の一実施形態のデジタルカメラの内部構成を示す図である。
【図１２】図１１に示す光学式ファインダ内の、合焦領域を示す図である。
【図１３】図１１に示す光学式ファインダ内に表示される、合焦領域の枠表示ルーチンのフローチャートである。
【図１４】本発明の第３の撮影装置の一実施形態のデジタルカメラの内部構成を示す図である。
【図１５】図１４に示す光学式ファインダ内の、測光領域を示す図である。
【図１６】図１５に示す測光領域に相当する領域を区画する枠に代えて、オートフォーカス領域に相当する領域を区画する枠を、光学式ファインダ内に表示するための表示処理ルーチンのフローチャートである。
【符号の説明】
【０１２３】
１０，２０，３０  デジタルカメラ
１０＿１  ズーム鏡胴
１０＿１ａ  ズームレンズ
１０＿１ｂ  アイリス
１０＿１ｃ  フォーカスレンズ
１０＿２  フラッシュ発光部
１０＿３  フラッシュ調光センサ
１０＿４  光学式ファインダ
１０＿４ａ  合焦領域
１０＿５  グリップ
１０＿６  セルフタイマランプ
１０＿８  シャッタボタン
１０＿９  モードダイヤル
１０＿１０  電源ボタン
１０＿１２  ポップアップボタン
１０＿１３  電池カバー
１０＿１４電池挿入部
１０＿１５  記録メディアスロット
１０＿１６  三脚用ねじ穴
１０＿２４  露出補正ボタン
１０＿２５  広角ズームボタン
１０＿２６  望遠ズームボタン
１０＿２７  モードスイッチ
１０＿３０  フォトモードボタン
１０＿３１  十字ボタン
１０＿３１ａ  上ボタン
１０＿３１ｂ  下ボタン
１０＿３１ｃ  左ボタン
１０＿３１ｄ  右ボタン
１０＿３２  メニュー／ＯＫボタン
１０＿３３  ＤＩＳＰ／ＢＡＣＫボタン
１０＿３４  液晶モニタ
１０＿４１  対物レンズ
１０＿４１ａ  光学式ファインダ対物窓
１０＿４２  接眼レンズ
１０＿４２ｂ  光学式ファインダ接眼窓
１０＿４３  透過表示板
１０＿４３Ｒ，１０＿４３Ｇ，１０＿４３Ｂ  ＬＥＤ
１０＿５４  記録メディア
１０＿１００  操作部
１０＿４３０  光透過性基板
１０＿４３１，１０＿４３２，１０＿４３３  ＬＥＤ層
１００  電池
１１１，１１２，１１３  モータドライバ
１１４  ＣＣＤ
１１５  タイミングジェネレータ
１１６  ＭＰＵ
１１６ａ  ＲＯＭ
１１７  ＣＤＳＡＭＰ
１１８  Ａ／Ｄ変換部
１１９  画像入力コントローラ
１２０  画像信号処理部
１２１  圧縮処理部
１２２  Ｖｉｄｅｏ／ＬＣＤエンコーダ
１２４  ＡＥ＆ＡＷＢ検出部
１２３  ＡＦ検出部
１２５  メモリ（ＳＤＲＡＭ）
１２６  ＶＲＡＭ
１２７  メディアコントローラ
１２８  電子ズーム手段
１２９，２２９，３２９  表示制御手段
２２８，３２８  領域設定手段
【図１】
2006237922.tif 000003
【図２】
2006237922.tif 000004
【図３】
2006237922.tif 000005
【図４】
2006237922.tif 000006
【図５】
2006237922.tif 000007
【図６】
2006237922.tif 000008
【図７】
2006237922.tif 000009
【図８】
2006237922.tif 000010
【図９】
2006237922.tif 000011
【図１０】
2006237922.tif 000012
【図１１】
2006237922.tif 000013
【図１２】
2006237922.tif 000014
【図１３】
2006237922.tif 000015
【図１４】
2006237922.tif 000016
【図１５】
2006237922.tif 000017
【図１６】
2006237922.tif 000018